(57)【特許請求の範囲】
【請求項１】
器具本体と、前記器具本体に取り付けられる点灯ユニットとを備え、
前記点灯ユニットは、１乃至複数の光源ユニットと、前記光源ユニットに電力を供給して点灯させる電源装置と、表面に前記光源ユニットが取り付けられるとともに裏面に前記電源装置が取り付けられる取付板とを有し、
前記電源装置は、前記電力を生成するための電源回路を構成する回路基板と、前記回路基板を収容するケースとを有し、前記ケースは、一面が開放された箱状に形成され、
前記取付板は、前記裏面から当該裏面の法線方向に起立する縦板部と、前記縦板部の先端から前記裏面と対向するように突出する突板部と、保持部とを有し、前記裏面と前記縦板部と前記突板部に囲まれた空間に前記電源装置が挿入されるように構成され、
前記保持部は、前記ケースに当たることで前記ケースを保持するように構成されることを特徴とする照明器具。
【請求項２】
前記縦板部及び前記突板部の少なくとも何れか一方は、前記保持部と前記縦板部の対向方向と交差する方向から前記ケースに当たる第１突部を有することを特徴とする請求項１記載の照明器具。
【請求項３】
前記突板部は、前記裏面に向かって突出する第２突部を有し、前記第２突部は、前記ケースを前記裏面に向かって押すように構成されることを特徴とする請求項１又は２記載の照明器具。
【請求項４】
前記取付板は、前記裏面から前記法線方向に沿って突出する第３突部を有し、前記第３突部は、前記ケースの一部を押し上げるように構成されることを特徴とする請求項１〜３の何れか１項に記載の照明器具。
【請求項５】
前記電源装置と前記光源ユニットを電気的に接続し且つ前記電源装置の前記電源回路から前記光源ユニットへの給電路となる電線と、前記電線を隠す隠し部とを備え、前記隠し部は、前記裏面との間に前記電線が配置される空間を形成し、且つ前記法線方向から前記電線を覆うように構成されることを特徴とする請求項１〜４の何れか１項に記載の照明器具。
【発明の詳細な説明】
【技術分野】
【０００１】
本発明は、照明器具に関し、特に、天井材などの造営材に取り付けられる照明器具に関する。
【背景技術】
【０００２】
従来例として、特許文献１記載の照明器具を例示する。特許文献１記載の照明器具は、光源ユニット、器具本体、枠、パネル、点灯装置などを備える。器具本体は、矩形平板状の天板と、天板の周縁から下向きに曲げ起こされた側板とを有し、下面が開口した矩形箱状に形成されて天井材の表面（天井面）に取り付けられる。
【０００３】
点灯装置は、点灯回路を構成する回路素子が実装されるプリント配線板と、プリント配線板を収納する金属製のケースとを備える。点灯回路は、外部の電源から供給される交流電圧・交流電流を直流電圧・直流電流に変換するように構成される。
【０００４】
光源ユニットは、ＬＥＤモジュールと、反射体とを有する。ＬＥＤモジュールは、基板の一面に複数のＬＥＤが実装されて構成されている。反射体は、矩形平板状の取付板と、取付板の周縁から下向きに曲げ起こされた４つの反射板とを有し、下面が開放された箱状に形成される。取付板の下面にＬＥＤモジュールが取り付けられる。また、取付板の上面に点灯装置のケースがねじ止めされる。
【先行技術文献】
【特許文献】
【０００５】
【特許文献１】特開２０１４−２３２７１３号公報
【発明の概要】
【発明が解決しようとする課題】
【０００６】
しかしながら、上記従来例では、取付板に点灯装置のケースをねじ止めする工程が含まれているため、組立作業の作業性の向上並びに組立時間の短縮が困難であった。
【０００７】
本発明は、上記課題に鑑みてなされており、組立作業の作業性の向上及び組立時間の短縮を図ることを目的とする。
【課題を解決するための手段】
【０００８】
本発明の照明器具は、器具本体と、前記器具本体に取り付けられる点灯ユニットとを備え、前記点灯ユニットは、１乃至複数の光源ユニットと、前記光源ユニットに電力を供給して点灯させる電源装置と、表面に前記光源ユニットが取り付けられるとともに裏面に前記電源装置が取り付けられる取付板とを有し、前記電源装置は、前記電力を生成するための電源回路を構成する回路基板と、前記回路基板を収容するケースとを有し、前記ケースは、一面が開放された箱状に形成され、前記取付板は、前記裏面から当該裏面の法線方向に起立する縦板部と、前記縦板部の先端から前記裏面と対向するように突出する突板部と、保持部とを有し、前記裏面と前記縦板部と前記突板部に囲まれた空間に前記電源装置が挿入されるように構成され、前記保持部は、前記ケースに当たることで前記ケースを保持するように構成されることを特徴とする。
【発明の効果】
【０００９】
本発明の照明器具は、組立作業の作業性の向上及び組立時間の短縮を図ることができるという効果がある。
【図面の簡単な説明】
【００１０】
【図１】本発明に係る照明器具の実施形態を示す分解斜視図である。
【図２】同上の照明器具の分解斜視図である。
【図３】同上の照明器具の斜視図である。
【図４】同上の照明器具の断面図である。
【図５】同上における光源ユニットを示し、カバーエンドを外した状態の側面図である。
【図６】同上における電源ユニット及び機能ユニットの回路図である。
【図７】同上における電源装置のケース（第１ケース）を示す斜視図である。
【図８】同上における点灯ユニットを示す一部省略した斜視図である。
【図９】同上における点灯ユニットを示す一部省略した側面図である。
【図１０】同上における点灯ユニットを示す一部省略した分解斜視図である。
【図１１】図１１Ａは同上における点灯ユニットの平面図、図１１Ｂは同上における点灯ユニットの一部省略した平面図である。
【発明を実施するための形態】
【００１１】
本発明に係る照明器具の実施形態について、図面を参照して詳細に説明する。なお、以下に説明する実施形態では、天井材（天井仕上材）に取り付けられる照明器具の実施形態を例示するが、本実施形態の照明器具は、壁材などの天井材以外の造営材に取り付けられる照明器具であっても構わない。また、以下の説明では、特に断りのない限り、図１に示す向きにおいて上下左右及び前後の各方向を規定する。
【００１２】
本実施形態の照明器具は、図１〜図４に示すように器具本体１と、器具本体１に対して着脱自在に取り付けられる点灯ユニット２とを備える。
【００１３】
器具本体１は、角筒状の枠体１０と、矩形平板状のベース板１１とが結合されることにより、下面が開放された矩形箱状に形成されることが好ましい。
【００１４】
枠体１０は、左右方向に対向する一対の第１側板１００と、前後方向に対向する一対の第２側板１０１と、フランジ１０２とを有する。第１側板１００は、矩形板状の縦板１０００と、縦板１０００の下端縁から斜め下向きに突出する傾斜板１００１と、縦板１０００の上端縁から傾斜板１００１と反対向き且つ水平に突出する取付片１００２とが鋼板などの金属板で一体に形成されている。
【００１５】
また、第２側板１０１は、台形状の縦板１０１０と、縦板１０１０の上端縁から内向き且つ水平に突出する取付片１０１１と、縦板１０１０の両端から上向きに突出する一対の接合片１０１２とが、鋼板などの金属板で一体に形成されている。
【００１６】
第１側板１００は、長手方向（前後方向）における両端に第２側板１０１がそれぞれ接合される。すなわち、第２側板１０１の一対の接合片１０１２が第１側板１００の縦板１０００及び傾斜板１００１に各別に溶接されることにより、第１側板１００と第２側板１０１とが接合される。なお、右側の第１側板１００の縦板１０００は、長手方向（前後方向）のほぼ中央に凸形状の孔１００３が形成されている。
【００１７】
フランジ１０２は、金属板が加工されることで矩形枠状に形成され、第１側板１００及び第２側板１０１の下端縁に接合される。
【００１８】
ベース板１１は、鋼板などの金属板が矩形に加工されてなる。ただし、ベース板１１は、４つの辺が同じ向き（下向き）に曲げ起こされることで強度の向上が図られている。
【００１９】
また、ベース板１１は、給電用の電源線が挿通される第１挿通孔１１０と、外部制御信号などが伝送される信号線が挿通される第２挿通孔１１１とが設けられている。第１挿通孔１１０に挿通される電源線は、ベース板１１の下面に固定される第１端子台１６に電気的に接続される。第１端子台１６は、図示しない接続部に電線の一端が電気的に接続される。
【００２０】
また、ベース板１１の下面には、第２端子台１７も固定される（図２参照）。第２端子台１７は、第２挿通孔１１１に挿通される信号線と、後述する機能モジュール７の信号入力部７００に電気的に接続される信号線とがそれぞれ接続される。つまり、図示しない調光器から信号線を介して伝送される調光信号（外部制御信号）が第２端子台１７を通して機能モジュール７の信号入力部７００に入力される。さらに、ベース板１１は、図示しない吊りボルトが挿通される複数（図示例では３つ）のボルト挿通孔１１２が左右方向に一列に並べて設けられる。
【００２１】
上述のように構成されるベース板１１は、枠体１０の取付片１００２に取り付けられる。すなわち、各取付片１００２には、３つのブリッジ１３が前後方向に間隔を空けて並ぶように形成され、ベース板１１の左右両端にそれぞれ３つずつ設けられた爪１２が、各ブリッジ１３に各別に引っ掛けられる（図２参照）。
【００２２】
器具本体１は、ベース板１１のボルト挿通孔１１２に挿通される吊りボルトにナットが締め付けられて吊りボルトに固定される。そして、器具本体１は、枠体１０のフランジ１０２が天井材の下面側に露出し、その他の部分が天井材の埋込孔に挿入されて埋込配設される。つまり、フランジ１０２は、埋込孔の周縁と器具本体１との間に生じる隙間を塞いで隠すために設けられている。
【００２３】
また、枠体１０の各取付片１０１１には、いわゆるラッチ１５が左右方向に間隔を空けて２つずつ取り付けられている（図２参照）。ラッチ１５は、幅細の直方体状に形成された摘まみ１５０と、摘まみ１５０を回転可能に支持する支持部とを有する。そして、ラッチ１５は、取付片１０１１に設けられる取付孔に支持部が挿通されて取付片１０１１に取り付けられる。
【００２４】
点灯ユニット２は、図２に示すように、複数（図示例では３つ）の光源ユニット３、電源装置４、取付板５、複数（図示例では２つ）の反射部材６、機能モジュール７などを備える。
【００２５】
光源ユニット３は、図５に示すように、基板３１、基板３１が取り付けられる取付部材３２、基板３１を覆うようにして取付部材３２に取り付けられるカバー部材３３、カバー部材３３の両端の開口を閉塞するカバーエンド３４などを有する。
【００２６】
基板３１は、絶縁材料（例えば、セラミック）によって長尺の板状に形成されている。基板３１の表面（下面）には、複数個のＬＥＤ（発光ダイオード）３０が、基板３１の短手方向における中央部において、基板３１の長手方向に沿って２列に並べて実装されている。
【００２７】
また、基板３１表面の短手方向におけるＬＥＤ３０の外側に、各ＬＥＤ３０のアノード及びカソードを電気的に接続するための導電体が形成されている。さらに、基板３１表面の長手方向における一端にコネクタ３１１が実装され、コネクタ３１１に前記導電体が電気的に接続されている。このコネクタ３１１には、後述するように、中継コネクタ３７が電気的に接続される。
【００２８】
取付部材３２は、板金に曲げ加工を施すことにより、長尺且つ矩形板状の底壁部３２０と、底壁部３２０の左右方向（短手方向）における両端から上下方向に延出する一対の側壁部３２１とを有する角樋状に形成されている。底壁部３２０の略中央部には、基板３１を収容するための凹所３２００が全長に亘って設けられている。また、各側壁部３２１の先端には、互いに離れる方向に傾斜する傾斜部３２１０がそれぞれ全長に亘って設けられている。
【００２９】
また、凹所３２００には、複数の固定部が設けられる。これらの固定部は、凹所３２００の底を切り起こすことで鈎形に形成されている。基板３１には、これら複数の固定部が各別に挿通される複数の孔が貫通している。そして、各固定部は、基板３１の孔に挿通された後、先端側がＬＥＤ３０から遠のく向きに曲げられることにより、凹所３２００の底との間に基板３１を挟み込んで固定する。
【００３０】
カバー部材３３は、透光性を有する材料（例えば、アクリル樹脂等）により、略半円筒形の主部３３０と、主部３３０の長手方向に沿った両端部より互いに並行するように上向きに突出した一対の突壁部３３１とが一体に形成されている。なお、各突壁部３３１の先端（上端）には、内向きに突出する突起部３３１０がそれぞれ一体に設けられている。また、主部３３０の長手方向に沿った両端部には、主部３３０と連なるように各突壁部３３１の外側まで延出された延出部３３２がそれぞれ一体に形成されている。そして、カバー部材３３は、各突壁部３３１の突起部３３１０が、取付部材３２の各傾斜部３２１０に引っ掛けられることにより、基板３１の表面を覆うように取付部材３２の下面側に取り付けられる。
【００３１】
カバーエンド３４は、合成樹脂材料により、厚みの薄い半円板状に形成される。カバーエンド３４は、カバー部材３３及び取付部材３２の長手方向の端部に取り付けられて、カバー部材３３の両端の開口を閉塞する。
【００３２】
また、光源ユニット３を取付板５に取り付けるため、一対の取付金具３６が取付部材３２の上面側に固定される。取付金具３６は、板金を曲げ加工することにより、矩形板状の固定片３６０と、固定片３６０の長手方向の両端部から下向きに曲げ起こされた一対の脚片３６１とが一体に形成されてなる。固定片３６０の中央には、取付板５にねじ止めするためのねじ孔が設けられている。また、各脚片３６１には、取付部材３２の側壁部３２１にねじ止めするためのねじ孔が設けられている。取付金具３６は、取付部材３２の側壁部３２１間に収められる。そして、取付金具３６は、カバー部材３３の突壁部３３１に貫設されたねじ挿通孔と、側壁部３２１に貫設されたねじ挿通孔とに挿通されたねじ３６２が、固定片３６０のねじ孔にねじ込まれることで取付部材３２にねじ止めされる。
【００３３】
取付板５は、鋼板などの金属板によって矩形に形成される。ただし、取付板５は、４つの辺が同じ向き（下向き）に曲げ起こされることで強度の向上が図られている。そして、３つの光源ユニット３は、長手方向に沿って互いに平行となり且つ隣の光源ユニット３との間隔が何れも等しくなるように並べた状態で取付板５の下面に固定される（図２参照）。すなわち、取付板５には複数のねじ挿通孔が設けられており、各ねじ挿通孔に挿通される固定ねじ５０が、取付金具３６の固定片３６０に設けられているねじ孔にねじ込まれることにより、光源ユニット３が取付板５に固定される。なお、取付板５には３つの窓孔５３が１つの辺（後側の辺）に沿って等間隔且つ１列に並ぶように設けられており、各光源ユニット３の中継コネクタ３７がそれぞれ窓孔５３に挿通されている（図１０参照）。
【００３４】
また、取付板５の右側における前後方向のほぼ中央に、引掛金具５７がねじ止めされている。引掛金具５７は、取付板５の外側に突出し、器具本体１の第１側板１００の孔１００３に挿入されるように構成される（図３参照）。つまり、点灯ユニット２は、引掛金具５７の先端部分を第１側板１００における孔１００３の周縁部分に引っ掛けることにより、器具本体１に吊り下げられて仮保持される。
【００３５】
さらに、取付板５の前後両端には、ラッチ１５の摘まみ１５０が挿通可能な寸法を有する矩形の挿通孔５４がそれぞれ２つずつ設けられている。すなわち、埋込孔に埋め込まれた器具本体１内に点灯ユニット２を収容する際、取付板５の各挿通孔５４に挿通されたラッチ１５の摘まみ１５０が９０度回転されることにより、挿通孔５４に対して摘まみ１５０が抜け止めされる。したがって、点灯ユニット２は、４つのラッチ１５によって器具本体１（枠体１０の一対の取付片１０１１）に取り付けられる。ただし、上述のようなラッチ１５は従来周知であるから、詳細な構成の図示並びに説明は省略する。
【００３６】
反射部材６は、隣り合う光源ユニット３の間に生じる２箇所のスペースにそれぞれ配置される（図２及び図３参照）。これらの反射部材６は、一対の反射板６０と、各反射板６０の上端から上向きに延出された一対の側板６１とを有する。反射板６０は、長方形状の金属板が曲げ加工されて構成されている。一対の反射板６０は、長手方向に沿った一方の端縁同士が繋がっており、長手方向から見てＶ字状に形成されている。そして、取付板５に設けられている複数の差込部５１が、側板６１に設けられている複数の差込孔６１０に差し込まれることにより、取付板５に反射部材６が取り付けられる（図１及び図２参照）。
【００３７】
電源装置４は、第１プリント配線板に電子部品が実装されて構成される電源回路と、前記電源回路を収容する第１ケース４２とを有する。電源回路の回路図を図６に示す。この電源回路は、入力コネクタ４００、フィルタ回路４０１、整流器４０２、昇圧回路４０３、降圧回路４０４、出力コネクタ４０５、主制御回路４０６、制御電源回路４０７、調光制御回路４０８、消灯制御回路４０９、制御用コネクタ４１０などを備える。
【００３８】
入力コネクタ４００は、第１端子台１６を介して外部電源（商用交流電源）９と電気的に接続される。フィルタ回路４０１は、コモンモードチョークコイル４０１０と、アクロス・ザ・ラインコンデンサ４０１１とで構成される。整流器４０２は、ダイオードブリッジで構成され、フィルタ回路４０１及び入力コネクタ４００を介して外部電源９と交流入力端子が電気的に接続され、外部電源９から供給される交流電圧・交流電流を全波整流して直流出力端子から出力する。
【００３９】
昇圧回路４０３は、チョークコイルＬ１、スイッチ素子Ｑ１、整流素子Ｄ１、平滑コンデンサＣ１などで構成される、従来周知の昇圧チョッパ回路（力率改善回路）である。また、降圧回路４０４は、スイッチ素子Ｑ２、インダクタＬ２、整流素子Ｄ２、抵抗Ｒ１、平滑コンデンサＣ２などで構成される、従来周知の降圧チョッパ回路（バックコンバータ）である。整流器４０２から出力される脈流電圧が昇圧回路４０３で昇圧され、昇圧回路４０３から出力される直流電圧が降圧回路４０４で降圧される。出力コネクタ４０５は、レセプタクルコネクタからなり、降圧回路４０４の出力端子（平滑コンデンサＣ２の両端）と電気的に接続される。
【００４０】
主制御回路４０６は、昇圧回路４０３のスイッチ素子Ｑ１並びに降圧回路４０４のスイッチ素子Ｑ２をそれぞれスイッチングし、昇圧回路４０３の出力電圧を一定に維持するとともに、降圧回路４０４の出力電流を目標値に一致させるように構成される。制御電源回路４０７は、昇圧回路４０３の出力電圧から制御電圧（例えば、５Ｖ〜３Ｖ程度の直流電圧）を生成するように構成される。主制御回路４０６は、制御電源回路４０７から供給される制御電圧で動作する。
【００４１】
制御用コネクタ４１０は、レセプタクルコネクタからなり、機能モジュール７のプラグコネクタ７０３が差込接続される。後述するように、機能モジュール７から出力される制御信号が制御用コネクタ４１０を介して調光制御回路４０８と消灯制御回路４０９に入力される。
【００４２】
消灯制御回路４０９は、制御信号に応じて、点灯中のＬＥＤ３０を消灯させるための消灯信号を生成して主制御回路４０６に出力するように構成される。主制御回路４０６は、消灯信号を受け取ると、スイッチ素子Ｑ２のスイッチングを中止して降圧回路４０４を停止させ、ＬＥＤ３０を消灯するように構成される。ただし、主制御回路４０６は、消灯信号を受け取った場合、スイッチ素子Ｑ２だけで無くスイッチ素子Ｑ１のスイッチングも中止して昇圧回路４０３と降圧回路４０４を双方とも停止させてもよい。このように昇圧回路４０３と降圧回路４０４の双方が停止すれば、降圧回路４０４のみが停止する場合と比較して、消灯中における電源装置４の消費電力が削減される。
【００４３】
また、調光制御回路４０８は、制御信号に応じて、ＬＥＤ３０の光出力（調光レベル）を指示する調光信号を生成して主制御回路４０６に出力するように構成される。なお、調光レベルは、定格電力が供給されているときのＬＥＤ３０の光出力を１００％としたとき、ＬＥＤ３０に供給される単位時間当たりの平均電力の定格電力に対する比率（％）で表される。例えば、ＬＥＤ３０に供給される単位時間当たりの平均電力が定格電力の半分のとき、調光レベルが５０％となる。言い換えると、調光制御回路４０８は、制御信号で指示される調光レベルが５０％であれば、降圧回路４０４からＬＥＤ３０に供給される単位時間当たりの平均電力を定格電力の半分にするように指示する調光信号を生成する。主制御回路４０６は、調光制御回路４０８から受け取る調光信号に応じて、スイッチ素子Ｑ２のオンデューティ比を調整するように構成されることが好ましい。さらに詳しく説明すると、調光制御回路４０８は、抵抗Ｒ１の両端電圧から降圧回路４０４の出力電流を検出し、当該出力電流の平均値を調光レベルに対応した目標値に一致させるように、調光信号を生成するように構成されることが好ましい。
【００４４】
第１プリント配線板は、長尺の矩形平板状の絶縁基板の裏面に配線用の導体（銅箔）がプリントされて構成される。第１プリント配線板の表面に、コネクタや平滑コンデンサ、コモンモードチョークコイル４０１０などの、いわゆるリード部品が実装される。そして、第１プリント配線板の裏面に、整流器４０２、主制御回路４０６、調光制御回路４０８、消灯制御回路４０９などの表面実装部品が実装される。ここで、入力コネクタ４００は、第１プリント配線板の長手方向の端部（以下、第１端部と呼ぶ。）の表面に実装される。一方、出力コネクタ４０５及び制御用コネクタ４１０は、第１プリント配線板の長手方向の他端部（以下、第２端部と呼ぶ。）の表面に実装される。そして、第１端部から第２端部に向かって、フィルタ回路４０１、整流器４０２、昇圧回路４０３、降圧回路４０４、出力コネクタ４０５が順番に第１プリント配線板に実装される。また、主制御回路４０６、制御電源回路４０７、調光制御回路４０８、消灯制御回路４０９は、整流器４０２から第２端部に向かって順番に第１プリント配線板に実装される。
【００４５】
第１ケース４２は、図７に示すように、底板４２０と、底板４２０の短手方向に沿った端縁から立ち上がる一対の第１側板４２１Ａ、４２１Ｂと、底板４２０の長手方向に沿った端縁から立ち上がる一対の第２側板４２２Ａ、４２２Ｂとを有する。すなわち、第１ケース４２は、底板４２０の前方が開放された長尺の箱形に形成されている。また、第１ケース４２は、片方の第２側板４２２Ａの先端から外向きに突出する固定板４２３を備えている。固定板４２３は、角樋状に形成されることが好ましい。
【００４６】
第１プリント配線板は、裏面を底板４２０に対向させ、且つ第２端部を第１側板４２１Ａ側とする向きで第１ケース４２内に収納され、一対の第２側板４２２Ａ、４２２Ｂから切り起こされる４つの爪で第１ケース４２に固定される。なお、入力コネクタ４００の差込口は、第１端部側の第１側板４２１Ｂに設けられた矩形の窓孔４２１０を通して第１ケース４２の外に突出することが好ましい。
【００４７】
また、片方の第２側板４２２Ｂは、長手方向の中央及び一端にそれぞれ突起４２２０が設けられる（図７参照）。これら２つの突起４２２０は、球体を４分の１に分割した立体形状であり、且つ第２側板４２２Ｂの表面から外向き（他方の第２側板４２２Ａから遠離る向き）に突出するように構成されることが好ましい。
【００４８】
機能モジュール７は、第２プリント配線板７０に電子部品が実装されて構成される回路部と、回路部を収納する第２ケース７１とを有する（図１参照）。この回路部は、図６に示すように、信号入力部７００、フォトカプラ７０１、抵抗Ｒ２、Ｒ３、信号出力部７０２、信号ケーブル７０３などを備える。
【００４９】
信号入力部７００は、従来周知の速結式の端子台で構成され、制御信号が伝送される一対の信号線と電気的に接続される。また、信号入力部７００には、フォトカプラ７０１の入力端子と、限流用の抵抗Ｒ２とが電気的に直列接続される。つまり、フォトカプラ７０１の入力端子には、信号線に伝送される制御信号が信号入力部７００を介して入力される。
【００５０】
信号出力部７０２は、信号ケーブル７０３を介して電源ユニット４の制御用コネクタ４１０と電気的に接続される。信号ケーブル７０３は３本の電線７０３Ａ〜７０３Ｃで構成される。そして、電源回路のグランドとフォトカプラ７０１の負極側の出力端子（フォトトランジスタのエミッタ）とが１本の電線７０３Ａで電気的に接続される。また、制御電源回路４０７の出力端子と抵抗Ｒ３の一端との接続点が、他の１本の電線７０３Ｂで電気的に接続される。さらに、抵抗Ｒ３の他端とフォトカプラ７０１の正極側の出力端子（フォトトランジスタのコレクタ）の接続点が、残り１本の電線７０３Ｃで調光制御回路４０８及び消灯制御回路４０９と電気的に接続される。つまり、抵抗Ｒ３とフォトトランジスタの直列回路には常に一定の制御電源電圧が印加される。そのため、調光制御回路４０８及び消灯制御回路４０９に入力される制御信号は、フォトカプラ７０１の入力電圧がハイレベルのときにローレベルとなり、フォトカプラ７０１の入力電圧がローレベルのときにハイレベルとなる。例えば、外部から機能モジュール７に入力される制御信号（以下、外部制御信号と呼ぶ。）がパルス幅変調（ＰＷＭ）信号である場合を想定する。この場合、機能モジュール７から電源ユニット４に出力される制御信号（以下、内部制御信号と呼ぶ。）のデューティ比（パルス幅）は、１００％（１周期の長さ）と、外部制御信号のデューティ比（パルス幅）との差になる。例えば、外部制御信号のデューティ比が５％のときの調光レベルを１００％とし、調光レベルが低く（暗く）なるにつれてデューティ比が減少する場合を想定する。この場合、調光制御回路４０８は、内部制御信号のデューティ比が９５％のときに調光レベルを１００％とし、デューティ比が減少するにつれて調光レベルを減少させればよい。また、消灯制御回路４０９は、内部制御信号のデューティ比が下限値（例えば、１０％）以下のときに、消灯信号を出力すればよい。なお、機能モジュール７は、第２ケース７１がねじ止めされることで取付板５に取り付けられる。
【００５１】
ところで、電源装置４は、図２及び図８に示すように、底板４２０を上にして取付板５の上面側に取り付けられる。ここで、取付板５に対する電源装置４の取付構造について、図８〜図１０を参照して具体的に説明する。
【００５２】
本実施形態の照明器具は、図８に示すように、取付具８によって、電源装置４を取付板５に取り付けるように構成されることが好ましい。本実施形態における取付具８は、第１取付具８０と第２取付具８１で構成されることが好ましい。
【００５３】
第１取付具８０は、固定板部８００と、縦板部８０１と、突板部８０２とを有する。固定板部８００は、長手方向及び短手方向の各寸法が第１ケース４２の長手方向及び短手方向の各寸法よりも大きい長尺の矩形平板状に形成される。また、固定板部８００は、長手方向の両端における前端寄りの位置に、それぞれ第３突部８０６が設けられることが好ましい。これら２つの第３突部８０６は、半球状の立体形状であり、且つ固定板部８００の上面から上向きに突出するように構成されることが好ましい（図９参照）。
【００５４】
縦板部８０１は、長手方向及び短手方向の各寸法が第１ケース４２の第２側板４２２Ｂの長手方向及び短手方向の各寸法よりも大きい長尺の矩形平板状であって、固定板部８００の前端から上向きに起立するように形成される。また、縦板部８０１の長手方向の中央及び左端に、それぞれ矩形の孔からなる引掛孔８０３が設けられる。これら２つの引掛孔８０３は、後述するように、第１ケース４２の第２側板４２２Ｂに設けられた２つの突起４２２０がそれぞれ各別に挿入される（図８参照）。
【００５５】
突板部８０２は、長手方向の寸法が第２側板４２２Ｂの長手方向の寸法よりも大きい長尺の矩形平板状であって、縦板部８０１の上端から後ろ向きに突出するように形成される。また、突板部８０２は、長手方向の両端に、それぞれ第１突部８０４が設けられることが好ましい。これら２つの第１突部８０４は、球体を４分の１に分割した立体形状であり、且つ突板部８０２の下面から下向き（固定板部８００に近付く向き）に突出するように構成されることが好ましい（図９参照）。さらに、突板部８０２は、長手方向の中央から両端寄りの位置に、それぞれ第２突部８０５が設けられることが好ましい。これら２つの第２突部８０５は、半球状の立体形状であり、且つ突板部８０２の下面から下向きに突出するように構成されることが好ましい（図９参照）。なお、第１取付具８０は、亜鉛鋼板などの金属板が加工されることにより、固定板部８００と縦板部８０１と突板部８０２が一体に形成されることが好ましい。
【００５６】
第１取付具８０は、固定板部８００が裏面側にねじ止めされることで取付板５に固定されることが好ましい。つまり、第１取付具８０は、固定用のねじ８２（図９参照）を介して取付板５と電気的に導通するように構成されることが好ましい。
【００５７】
第２取付具８１は、平板部８１０と、３つの脚片８１１と、２つの側片８１２と、保持部８１３とを有する。平板部８１０は、長手方向の寸法が第１取付具８０の長手方向の寸法にほぼ等しい矩形平板状に形成される。３つの脚片８１１は、平板部８１０の後端における長手方向の両端及び中央にそれぞれ設けられる。各脚片８１１は、平板部８１０の長手方向（左右方向）から見てＬ字形状に形成されることが好ましい。ただし、中央の脚片８１１は、両端の脚片８１１よりも幅寸法（平板部８１０の長手方向に沿った長さ寸法）を短くするように構成されることが好ましい。
【００５８】
２つの側片８１２は、平板部８１０の左右両端にそれぞれ設けられる。各側片８１２は、長尺の平板状に形成されることが好ましい。また、各側片８１２は、下端から下向きに突出する鉤形の引掛片８１２０を有することが好ましい（図１０参照）。
【００５９】
保持部８１３は、長手方向の寸法が平板部８１０の長手方向の寸法に等しい長尺の平板状であって、平板部８１０の前端から上向きに起立するように形成されることが好ましい。また、保持部８１３には、複数（図示例では３つ）の第４突部８１４が長手方向に沿って等間隔に設けられることが好ましい。これら３つの第４突部８１４は、ブリッジ状であって、保持部８１３から前向き（平板部８１０から遠離る向き）に突出するように構成されることが好ましい（図８及び図９参照）。なお、第２取付具８１は、亜鉛鋼板などの金属板が加工されることにより、平板部８１０と脚片８１１と側片８１２と保持部８１３と第４突部８１４が一体に形成されることが好ましい。
【００６０】
次に、図８〜図１１を参照して、取付板５に対する電源装置４の取付作業を説明する。ただし、第１取付具８０は既に取付板５に固定されている。まず、作業者は、第１取付具８０に電源装置４の第１ケース４２を取り付ける。すなわち、作業者は、固定板部８００と縦板部８０１と突板部８０２に囲まれた空間に、底板４２０を上に向けた状態で、第２側板４２２Ｂの側から電源装置４を挿入する（図１０参照）。このとき、作業者は、第２側板４２２Ｂの２つの突起４２２０を、それぞれ縦板部８０１の２つの引掛孔８０３に挿通させることにより、第１取付具８０に対して、電源装置４（の第１ケース４２）を位置決めすることができる。また、第１ケース４２は、突板部８０２に設けられた２つの第１突部８０４が第１側板４２１Ａ、４２１Ｂに当たることにより、左右方向に沿った移動が規制される（図９参照）。さらに、第１ケース４２は、突板部８０２に設けられた２つの第２突部８０５が底板４２０に当たることによって下向きに押され、第２側板４２２Ｂの下端が固定板部８００に圧接される（図９参照）。その結果、第１ケース４２は、第１取付具８０を介して取付板５と電気的に導通する。
【００６１】
続いて、作業者は、電源装置４の出力コネクタ４０５に電気的に接続されている複数の電線４３を、３つの光源ユニット３の中継コネクタ３７に電気的に接続する（図１１Ｂ参照）。なお、中継コネクタ３７はレセプタクルコネクタで構成されることが好ましい。故に、複数の電線４３は、３つの中継コネクタ３７とそれぞれ各別に接続されるプラグコネクタを送り配線するように構成されることが好ましい。而して、作業者は、電線４３に接続されている３つのプラグコネクタをそれぞれ３つの中継コネクタ３７に接続すればよい。
【００６２】
ここで、第１ケース４２は、図９に示すように、第１取付具８０の固定板部８００に設けられた２つの第３突部８０６に固定板４２３が当たることで上向きに押し上げられる。その結果、第１ケース４２の固定板４２３と固定板部８００との間に隙間が形成される。故に、作業者は、上記隙間に電線４３を通すことにより、第１ケース４２と固定板部８００の間に挟み込まれないように電線４３を配線することができる。
【００６３】
続いて、作業者は、一対の側片８１２の引掛片８１２０を、左右両端の窓孔５３にそれぞれ挿入した状態で、中央の脚片８１１をねじ止めすることにより、第２取付具８１を取付板５に固定する（図８参照）。なお、各引掛片８１２０は、取付板５の下面側において、光源ユニット３の取付金具３６の固定片３６０に引っ掛けられる。
【００６４】
第２取付具８１が取付板５に固定されると、保持部８１３が第１ケース４２の固定板４２３に当たり、第１ケース４２の後方への移動を規制する。その結果、第１ケース４２（電源装置４）は、固定板部８００と縦板部８０１と突板部８０２に囲まれた空間に挿入された状態で保持部８１３に保持されて取付板５に取り付けられる（図１及び図８参照）。また、保持部８１３に設けられている３つの第４突部８１４が、固定板４２３の先端（上端）に引っ掛かる（図９参照）。その結果、第１ケース４２は、固定板４２３が第３突部８０６に押されて浮き上がった姿勢を保持することができる（図９参照）。つまり、本実施形態の照明器具は、電源装置４の第１ケース４２が取付板５にねじ止めされる取付構造と比較して、電源装置４の第１ケース４２への取付作業（組立作業）の作業性の向上並びに組立時間の短縮を図ることができる。しかも、第１ケース４２は、ねじ挿通孔を設けるスペースが不要であるから、ねじ挿通孔を設ける場合と比較して、小型化を図ることができる。
【００６５】
また、第２取付具８１は、３つの脚片８１１及び２つの側片８１２により、取付板５と平板部８１０との間に配線用の空間を形成するように構成される。そして、当該空間に配置される電線４３は、取付板５の上方から平板部８１０によって覆い隠される（図１１Ａ参照）。したがって、施工作業時などにおいて、点灯ユニット２が取り扱われる際、作業者の手指などが誤って電線４３に引っ掛かるような不具合の発生を抑えることができる。
【００６６】
なお、第１取付具８０の縦板部８０１及び突板部８０２と、第２取付具８１の保持部８１３とは、例えば、切り起こし加工などによって取付板５と一体に構成されても構わない。
【００６７】
上述のように本実施形態の照明器具は、器具本体１と、器具本体１に取り付けられる点灯ユニット２とを備える。点灯ユニット２は、１乃至複数の光源ユニット３と、光源ユニット３に電力を供給して点灯させる電源装置４と、表面（下面）に光源ユニット３が取り付けられるとともに裏面（上面）に電源装置４が取り付けられる取付板５とを有する。電源装置４は、電力を生成するための電源回路（昇圧回路４０３、降圧回路４０４）を構成する回路基板（プリント配線板）と、回路基板を収容するケース（第１ケース４２）とを有する。ケース（第１ケース４２）は、一面が開放された箱状に形成される。取付板５は、裏面から当該裏面の法線方向（上下方向）に起立する縦板部８０１と、縦板部８０１の先端から裏面と対向するように突出する突板部８０２と、保持部８１３とを有する。また、取付板５は、裏面と縦板部８０１と突板部８０２に囲まれた空間に電源装置４が挿入されるように構成される。保持部８１３は、ケース（第１ケース４２）に当たることでケース（第１ケース４２）を保持するように構成される。
【００６８】
本実施形態の照明器具は、縦板部８０１及び突板部８０２と保持部８１３とで挟み込むように電源装置４を取付板５に取り付けるので、従来例のようにねじ止めされる場合と比較して、組立作業の作業性の向上及び組立時間の短縮を図ることができる。
【００６９】
また、本実施形態の照明器具において、縦板部８０１及び突板部８０２の少なくとも何れか一方は、保持部８１３と縦板部８０１の対向方向（前後方向）と交差する方向（左右方向）からケース（第１ケース４２）に当たる第１突部８０４を有することが好ましい。
【００７０】
本実施形態の照明器具が上述のように構成されれば、第１突部８０４によってケース（第１ケース４２）の上記方向（左右方向）の移動が規制されるので、取付板５に対する電源装置４のがたつきを抑えることができる。
【００７１】
さらに、本実施形態の照明器具において、突板部８０２は、裏面（取付板５の上面）に向かって突出する第２突部８０５を有することが好ましい。第２突部８０５は、ケース（第１ケース４２）を上記裏面に向かって押すように構成されることが好ましい。
【００７２】
本実施形態の照明器具が上述のように構成されれば、ケース（第１ケース４２）を取付板５と接触させて電気的に導通させることができる。
【００７３】
また、本実施形態の照明器具において、取付板５は、裏面（取付板５の上面）から法線方向（上下方向）に沿って突出する第３突部８０６を有することが好ましい。第３突部８０６は、ケース（第１ケース４２）の一部（固定板４２３）を押し上げるように構成されることが好ましい。
【００７４】
本実施形態の照明器具が上述のように構成されれば、裏面（取付板５の上面）とケース（第１ケース４２）との間に隙間が形成される。その結果、電源装置４と光源ユニット３を電気的に接続する電線４３が上記隙間に配置されることにより、ケース（第１ケース４２）と取付板５の間に挟み込まれないように電線４３を配線することができる。
【００７５】
さらに、本実施形態の照明器具において、電源装置４と光源ユニット３を電気的に接続し且つ電源装置４の電源回路から光源ユニット３への給電路となる電線４３と、電線４３を隠す隠し部（平板部８１０）とを備えることが好ましい。隠し部（平板部８１０）は、裏面（取付板５の上面）との間に電線４３が配置される空間を形成し、且つ法線方向（上下方向）から電線４３を覆うように構成されることが好ましい。
【００７６】
本実施形態の照明器具が上述のように構成されれば、施工作業時などにおいて、作業者の手指などが誤って電線４３に引っ掛かるような不具合の発生を抑えることができる。
【符号の説明】
【００７７】
１  器具本体
２  点灯ユニット
３  光源ユニット
４  電源装置
５  取付板
４２  第１ケース（ケース）
４３  電線
４０３  昇圧回路（電源回路）
４０４  降圧回路（電源回路）
８０１  縦板部
８０２  突板部
８０４  第１突部
８０５  第２突部
８０６  第３突部
８１０  平板部（隠し部）
８１３  保持部
【図１】
0006473994.tif 000002
【図２】
0006473994.tif 000003
【図３】
0006473994.tif 000004
【図４】
0006473994.tif 000005
【図５】
0006473994.tif 000006
【図６】
0006473994.tif 000007
【図７】
0006473994.tif 000008
【図８】
0006473994.tif 000009
【図９】
0006473994.tif 000010
【図１０】
0006473994.tif 000011
【図１１】
0006473994.tif 000012